(57)【要約】      （修正有）【課題】加熱筒で加熱されたビレットを鍛造工程へ搬送する際に、後続ビレットとの一部溶着を確実に剥離することできる加熱ビレット剥離搬送装置を提供する。【解決手段】加熱筒２の開口前端から鍛造工程の間において、左右対をなすリンクプレート５，５’の多数対をローラピンにより順次連結してなるローラチエンをスプロケット９，１０，１１を介してエンドレスに且つ走行駆動可能に配設してローラチエンコンベアを構成し、上記ローラチエンの多数対のリンクプレートにおける適宜前後間隔をあけた所要対のリンクプレートから、上記加熱筒開口前端から押し出される加熱ビレットを下から突き上げるべく、上記加熱筒内のビレットＷ走行下面より上方へ突出する突き上げ部材を延出した、加熱ビレット剥離搬送装置。【選択図】図１
0003115591.tif 000002
【実用新案登録請求の範囲】
【請求項１】
加熱筒の開口前端から鍛造工程の間において、左右対をなすリンクプレートの多数対をローラピンにより順次連結してなるローラチエンをスプロケットを介してエンドレスに且つ走行駆動可能に配設してローラチエンコンベアを構成し、
上記ローラチエンの多数対のリンクプレートにおける適宜前後間隔をあけた所要対のリンクプレートから、上記加熱筒開口前端から押し出される加熱ビレットを下から突き上げるべく、上記加熱筒内のビレット走行下面より上方へ突出する突き上げ部材を延出した、
加熱ビレット剥離搬送装置。
【考案の詳細な説明】
【技術分野】
【０００１】
本考案は、鍛造の前処理として、多数の金属ビレットを前後隣接した１縦列で加熱筒内に押し入れて加熱を行った後、上記加熱筒内から後続のビレットと一部溶着して押し出されてくる加熱ビレットを後続のビレットと剥離しつつ次の鍛造工程へ搬送するための加熱ビレット剥離搬送装置に関する。
【背景技術】
【０００２】
従来、この種の加熱ビレット剥離搬送装置として、加熱筒の開口前端から鍛造工程に延長する歯車列駆動式のローラコンベアを配設し、該ローラコンベアにおける加熱筒前端寄りの２〜３本のローラを、その外周面を切削して断面正六角形の角形ローラに形成し、これら角形ローラの回転により、上記加熱筒開口前端から後続ビレットと一部溶着した状態で該角形ローラ上に押し出されてくる加熱ビレットに対し振動を加え、それにより後続ビレットとの溶着を剥離する構造のものが知られている。
【０００３】
しかし、上記の従来装置では、ビレットに加わる振動が、六角ローラ面の稜線部（大径部）と平面部（小径部）との径の差によって生起されるものであって、その径の差すなわちビレットに加わる振動の振幅は、構造上小幅に止まる結果となり、それにより加熱ビレットの後続ビレットとの溶着を剥離できない場合がしばしば発生し、その場合、作業ラインを一旦停止した後手作業により溶着部を切断して再加熱にフィードバックしなければならず、作業能率の低下を招いていた。
【考案の開示】
【考案が解決しようとする課題】
【０００４】
本考案は、加熱筒で加熱されたビレットを鍛造工程へ搬送する際に、後続ビレットとの一部溶着を確実に剥離することのできる加熱ビレット剥離搬送装置を提供することを課題とする。
【課題を解決するための手段】
【０００５】
上記課題解決の手段として、本考案は、
加熱筒の開口前端から鍛造工程の間において、左右対をなすリンクプレートの多数対をローラピンにより順次連結してなるローラチエンをスプロケットを介してエンドレスに且つ走行駆動可能に配設してローラチエンコンベアを構成し、
上記ローラチエンの多数対のリンクプレートにおける適宜前後間隔をあけた所要対のリンクプレートから、上記加熱筒開口前端から押し出される加熱ビレットを下から突き上げるべく、上記加熱筒内のビレット走行下面より上方へ突出する突き上げ部材を延出した、
加熱ビレット剥離搬送装置を提案する。
【考案の効果】
【０００６】
本考案の加熱ビレット剥離搬送装置は、ローラチエンのリンクプレートから、加熱筒内ビレット走行下面より上方へ突出する突き上げ部材を延出したから、突き上げ部材の突出高さを所要高さに自由に設計することができると共に、加熱筒開口前端から後続ビレットと一部溶着して押し出されてくる加熱ビレットを、突き上げ部材により所要高さ突き上げることにより、該先行ビレットを前端上向きに傾斜させ、それにより後続ビレットとの一部溶着を確実に剥離することができるのである。
【考案を実施するための最良の形態】
【０００７】
本考案における多数対のリンクプレートを順次連結する「ローラピン」とは、リンクプレートの多数対を連結したピンであって、ローラを回転自在に軸支した通常のもの、及びリンクプレートの多数対を連結したローラ形のピンであって、ローラを軸支していないもの、の両者を含む用語として使用される。
以下図面を参照して本考案の実施例について詳述する。
【実施例１】
【０００８】
図１において、（１）は、円筒状の加熱筒（２）を有する誘導加熱装置で、その加熱筒（２）の前端開口（３）から次の鍛造工程の間に、ローラチエンコンベア（４）を配設してある。
【０００９】
上記ローラチエンコンベア（４）は次のようである。図２（イ）、（ロ）のように左右対をなす外側リンクプレートの多数対（５）（５）、…と内側リンクプレートの多数対（５’）（５’）、…とを、外側リンクプレート（５）、（５）と内側リンクプレート（５’）、（５’）とを交互に配列した状態で、ピン（６）…により順次連結すると共に各ピン（６）…にローラ（７）…を回転自在に軸支させてローラチエン（８）を形成し、このローラチエン（８）を、図１に示すように上記加熱筒（２）の前端開口（３）の近くに軸支されたスプロケット（９）、その前方に回転自在に軸支されたスプロケット（１０）、及びその下方に軸支され、モータ（図示略）からの回転を伝達される駆動スプロケット（１１）にエンドレスに掛け回して、上記スプロケット（９）、（１０）間のローラチエンを水平区帯に保持したローラチエンコンベア（４）を構成してある。
【００１０】
この場合、上記ローラチエンコンベア（４）の水平区帯の搬送面は、上記加熱筒（２）内において前方へ徐々に押し出されていく１縦列のビレット群（Ｗ）…の移動下面（ビレット走行下面）とほぼ同一面上にある。
【００１１】
上記ビレット（Ｗ）を突き上げるべき突き上げ部材は、上記ローラチエンコンベア（４）の左右対をなす外側リンクプレート（５）（５）、…における本例では３番目毎のプレート（５）（５）、…にそれぞれ突設してある。
【００１２】
本例の突き上げ部材は、図２（イ）、（ロ）に示すように、外側リンクプレート（５）（５）、…の中間部から板状突き上げアーム（１２）（１２）、…をそれぞれＴ字形に延出し、その各左右突き上げアーム（１２）（１２）、…の先端部にピン（１３）…をそれぞれ支持させると共に、各ピン（１３）…にコロ（１４）…をそれぞれ回転自在に軸支させたものである。
【００１３】
この場合上記突き上げアーム（５）…の突出高さは、上記水平区帯に至ったとき、上記加熱筒（２）内におけるビレット走行下面（Ｓ）の水平延長面よりも適宜上方へ突出する高さとし、又各突き上げアーム（５）（５）、…の前後間隔は、その間にビレット（Ｗ）１個をそれぞれ保持できるように、該ビレット（Ｗ）の前後長よりも若干広くしてある。
【００１４】
上記ローラチエンコンベア（４）の走行（搬送）速度は、加熱筒（２）内のビレット押し出し速度との関係で、一例として、加熱筒（２）の前端開口（３）からビレット（Ｗ）の前部が押し出されたとき、突き上げアーム（１２）、（１２）が該ビレット（Ｗ）の前部下面を突き上げ、以下同様に、順次ビレット（Ｗ）の前部が加熱筒（２）から押し出されると、突き上げアーム（１２）、（１２）が順次ビレット前部下面を突き上げるような速度関係に調整してある。
【００１５】
（１５）は、ローラチエンコンベア（４）の水平区帯において、ローラチエン（８）の左右両側に谷形に配置され、搬送されるビレット（Ｗ）を左右から摺動自在に支える案内板、（１６）はシュートである。
【００１６】
上例の作用を次に説明する。円柱状の金属ビレット（Ｗ）…を加熱筒（２）内に１縦列で押しこんで加熱しつつ前進させ、又ローラチエンコンベア（４）の走行を開始する。先行の加熱されたビレット（Ｗ）が後続の加熱ビレット（Ｗ）と一部溶着した状態で、加熱筒（２）の前端開口（３）から前部を押し出されたとき、スプロケット（９）をめぐってきた突き上げアーム（１２）、（１２）が上記ビレット（Ｗ）の前部下面を下から突き上げ、それにより図１に示すように先行のビレット（Ｗ）を前端上向きの傾斜状態に立ち上げて後続ビレットとの一部溶着を剥離する。ついで、上記突き上げアーム（１２）、（１２）は傾斜させたビレット（Ｗ）の下面を前方へ摺動して該ビレット下面から離脱し、それにより上記傾斜させたビレット（Ｗ）をコンベア（４）の水平区帯上に落下させ、その落下衝撃によりさらに十分に溶着剥離を行う。
【００１７】
後続ビレットと剥離分断されたビレット（Ｗ）は前後隣り合う突き上げアーム（１２）（１２）、（１２）（１２）の間でローラチエンコンベア（４）上にのって前方へ搬送される。以下同様に加熱筒（２）の前端開口から順次押し出されてくる加熱ビレット（Ｗ）を新たな突き上げアーム（１２）、（１２）により順次突き上げ、傾斜及び落下させて後続ビレットとの一部溶着を剥離して順次コンベア（４）により前方へ搬送する。
【実施例２】
【００１８】
図３（イ）、（ロ）のローラチエン（８ａ）は、左右突き上げアーム（１２ａ）（１２ａ）、…の各先端を自由端として突出し、又左右外側リンクプレート（５ａ）（５ａ）、…と、左右内側リンクプレート（５ａ’）（５ａ’）、…をローラ形ピン（６ａ）…により順次連結し、他の構造は図１、図２（イ）、（ロ）と実質的に同一である。
【実施例３】
【００１９】
図４（イ）、（ロ）のローラチエン（８ｂ）は、左右突き上げアーム（１２ｂ）（１２ｂ）、…の先端を連結板（１５ｂ）…により一体的に連結して門形に形成し、他の構造は図１、図２（イ）、（ロ）と実質的に同一である。
【図面の簡単な説明】
【００２０】
【図１】ローラチエンコンベアの縦断側面図である。
【図２】（イ）ローラチエンの一部の拡大側面図である。（ロ）（イ）図のＡ−Ａ線断面図である。
【図３】（イ）ローラチエンの他の実施例の一部の拡大側面図である。（ロ）（イ）図のＢ−Ｂ線断面図である。
【図４】（イ）ローラチエンのさらに他の実施例の一部の拡大側面図である。（ロ）（イ）図のＣ−Ｃ線断面図である。
【符号の説明】
【００２１】
２  加熱筒
４  ローラチエンコンベア
５、５ａ、５ｂ  外側リンクプレート
５’、５ａ’、５ｂ’  内側リンクプレート
６、６ａ、６ｂ  ピン
７、７ｂ  コロ
８、８ａ、８ｂ  ローラチエン
９、１０、１１  スプロケット
１２、１２ａ、１２ｂ  突き上げアーム
Ｗ  ビレット
【図１】
0003115591.tif 000003
【図２】
0003115591.tif 000004
【図３】
0003115591.tif 000005
【図４】
0003115591.tif 000006